(57)【要約】【課題】スペースを有効に利用しつつ、指針計器の指針の目視側で表示意匠を透過照明させて目視させることが可能な計器装置を提供する。【解決手段】計器装置１は、第１文字盤２１と第１文字盤２１の前面に沿って回動する第１指針２２とを有する第１指針計器２と、第２文字盤３１と第２指針３２とを有する第２指針計器３と、第１表示意匠７１が形成された透光性表示板７と、背後側から第１表示意匠７１を透過照明する第１光源８１と、第１光源８１の発する光を第１表示意匠７１へ導く導光手段９とを備え、第１光源８１の発する光を背後側から第１表示意匠７１へ導く照明部９１と第１光源８１の発する光を照明部９１へ導く導光部９２とから導光手段９が構成され、透光性表示板７において第１表示意匠７１が形成されている部位が、第１指針２２の回転中心側であって第１指針２２の目視側に配設され、第２文字盤３１の背後側に導光部９２が配設されている。【選択図】図５
2008089477.tif 000002
【特許請求の範囲】
【請求項１】
第１文字盤と該第１文字盤の前面に沿って回動する第１指針とを有する第１指針計器と、
第２文字盤と該第２文字盤の前面に沿って回動する第２指針とを有する第２指針計器と、
第１表示意匠が形成された透光性表示板と、
背後側から前記第１表示意匠を透過照明する第１光源と、
前記第１光源の発する光を前記第１表示意匠へ導く導光手段とを備え、
前記第１光源の発する光を背後側から前記第１表示意匠へ導く照明部と該第１光源の発する光を該照明部へ導く導光部とから前記導光手段が構成され、
前記透光性表示板において前記第１表示意匠が形成されている部位が、前記第１指針の回転中心側であって該第１指針の目視側に配設され、
前記第２文字盤の背後側に前記導光部が配設されていることを特徴とする計器装置。
【請求項２】
前記透光性表示板に光を入射させる第２光源と、
前記第１光源の消燈時に前記第２光源を点燈するように構成された制御手段とを備え、
前記第２光源からの入射光を目視側へ反射させる反射層が前記透光性表示板に形成され、
前記第１光源の消燈時であって前記第２光源の点燈時において前記第１表示意匠が目視されないように構成されていることを特徴とする請求項１に記載の計器装置。
【請求項３】
前記透光性表示板に光を入射させる第２光源と、
前記第１光源の点燈時に前記第２光源を点燈するように構成された制御手段とを備え、
前記第２光源からの入射光を目視側へ反射させる反射層が前記透光性表示板に形成され、
前記第１表示意匠の透過照明光が、前記反射層からの反射光と識別可能なように構成され、
前記透過照明光の色調が、前記反射光の色調と類似するように構成されていることを特徴とする請求項１に記載の計器装置。
【請求項４】
前記透光性表示板に光を入射させる第２光源を備え、
前記第２光源の点燈時において前記第２表示意匠が目視されるように構成され、
前記第１光源の消燈時であって前記第２光源の点燈時において前記第１表示意匠が目視されないように構成されていることを特徴とする請求項１に記載の計器装置。
【請求項５】
前記第２光源からの入射光を目視側へ反射させる反射層が前記透光性表示板に形成され、
前記透光性表示板において前記反射層より目視側に第２表示意匠が形成されていることを特徴とする請求項４に記載の計器装置。
【請求項６】
前記透光性表示板の前面と背面の少なくとも一方に前記反射層が形成され、
前記反射層より背後側に前記第１表示意匠が形成され、
前記第１表示意匠を透過照明した該第１光源からの光が前記反射層を透過して該第１表示意匠として目視されるように構成され、
前記第１光源の消燈時において前記反射層によって前記第１表示意匠が目視されないように構成されていることを特徴とする請求項２または請求項３または請求項５に記載の計器装置。
【請求項７】
車両に搭載される計器装置であって、
自車両に備わる機器の作動状態を報知するインジケータを表す記号と該自車両の異常を警告するウォーニングを表す記号の少なくとも一つを前記第１表示意匠が備えることを特徴とする請求項１ないし請求項６のいずれか一項に記載の計器装置。
【発明の詳細な説明】
【技術分野】
【０００１】
本発明は、計器装置に関するものであり、車両用に用いて好適である。
【背景技術】
【０００２】
近年、車両用の計器装置で表示される情報の個数が増加しているが、計器装置が設置されるダッシュボードには、車室内空調装置やエアバッグ等が搭載され、これら機器や装置の種類が増加する傾向にある。このため、限られたスペースで多くの情報を表示できる計器装置が、要望されている。
【０００３】
例えば、スペースの有効利用を図った計器装置として、指針計器の目視側（視認者側）に液晶パネルを重ねて配設した計器装置が開示されている（特許文献１参照）。
【０００４】
この計器装置では、指針計器の目視側であって指針の回転中心側に所望の情報を表示する液晶パネルを設け、少なくとも指針計器の指針の一部が液晶パネルの周囲に露出するように構成している。また、液晶パネルを透過照明する発光ダイオードを、指針計器の文字盤の背後に配設し、この発光ダイオードの発する光を導光手段によって液晶パネルへ導いて透過照明させるように構成している。
【０００５】
また、スペースの有効利用を図った計器装置として、指針計器の加飾部にインジケータやウォーニング（以下、インジケータ／ウォーニングと称する）を表示させる計器装置が開示されている（特許文献２参照）。
【０００６】
この計器装置では、指針計器を加飾するために指針計器の円弧面に沿ってその外周にリング状の加飾部を形成し、この加飾部のスペースを利用して、インジケータ／ウォーニングを表示させるように構成している。即ち、点燈した発光ダイオードからの光が、必要なインジケータ／ウォーニングを透過照明して目視させるように構成している。
【特許文献１】特開２００２−３９８０７号公報
【特許文献２】特開２００６−８４２３５号公報
【発明の開示】
【発明が解決しようとする課題】
【０００７】
本発明者は、上記従来技術を組み合わせてインジケータ／ウォーニングを透過照明させて目視させる構成を検討した。即ち、指針計器の目視側でインジケータ／ウォーニングを透過照明させて目視させる構成を検討した。これは、スペースを有効に利用しつつ、指針計器に対し空中に浮かせて立体的にインジケータ／ウォーニングを発光表示させ、これによって見映えの向上を図るものである。即ち、スペースを有効に利用しつつ、指針計器の指針の目視側でインジケータ／ウォーニングを透過照明させて目視させ、これによって見映えの向上を図るものである。
【０００８】
特許文献１には記載されていないが、指針の回転中心側に導光手段を配置する必要がある。また、発光ダイオードの発する光を背後側から液晶パネルへ導く照明部と発光ダイオードの発する光を照明部へ導く導光部とから導光手段が構成されている。このため、導光手段において導光部の配置スペースがデッドスペースとなり、液晶パネルの表示スペースが制限されている。
【０００９】
従って、指針計器の目視側でインジケータ／ウォーニングを透過照明させる構成においても、導光手段において導光部がデッドスペースとなり、インジケータ／ウォーニングの配置スペースが制限される。これにより、スペースを有効に利用しつつ、指針の目視側でインジケータ／ウォーニングを透過照明させて目視させるように構成することが困難になっている。
【００１０】
特許文献２では、加飾部のスペースを利用してインジケータ／ウォーニングを透過照明させて目視させるように構成しているが、加飾部のスペースを必要とするため、スペースの有効利用を図る点では一定の限界がある。また、指針計器の目視側で重ねてインジケータ／ウォーニングを透過照明させて目視させる構成でもない。
【００１１】
この問題は、インジケータ／ウォーニングを透過照明させて目視させる場合に限らないで、特許文献２で開示されているように指針計器の目盛から延長した延長目盛を透過照明させる場合や、これらを包含する表示意匠を透過照明させる場合にも共通する問題である。
【００１２】
本発明は、上記点に鑑みてなされたものであり、スペースを有効に利用しつつ、指針計器の指針の目視側で表示意匠を透過照明させて目視させることが可能な計器装置を提供することを目的とする。
【課題を解決するための手段】
【００１３】
本発明は上記目的を達成するため、以下の技術的手段を採用する。
【００１４】
請求項１に記載の計器装置は、第１文字盤と第１文字盤の前面に沿って回動する第１指針とを有する第１指針計器と、第２文字盤と第２文字盤の前面に沿って回動する第２指針とを有する第２指針計器と、第１表示意匠が形成された透光性表示板と、背後側から第１表示意匠を透過照明する第１光源と、第１光源の発する光を第１表示意匠へ導く導光手段とを備え、第１光源の発する光を背後側から第１表示意匠へ導く照明部と第１光源の発する光を照明部へ導く導光部とから導光手段が構成され、透光性表示板において第１表示意匠が形成されている部位が、第１指針の回転中心側であって第１指針の目視側に配設され、第２文字盤の背後側に導光部が配設されていることを特徴とする。
【００１５】
この構成では、第１表示意匠が形成された透光性表示板と、背後側から第１表示意匠を透過照明する第１光源と、第１光源の発する光を第１表示意匠へ導く導光手段とを備え、透光性表示板において第１表示意匠が形成されている部位が、第１指針の回転中心側であって第１指針の目視側に配設される。これにより、第１指針計器の第１指針の目視側で第１表示意匠を透過照明させて目視させることができる。
【００１６】
また、この構成では、第２文字盤の背後側に導光手段の導光部が配設されるため、第２文字盤により導光部の配置スペースが表示スペースとして有効に利用される。これらの結果、スペースを有効に利用しつつ、指針計器の指針の目視側で表示意匠を透過照明させて目視させることが可能な計器装置を提供できる。
【００１７】
請求項２に記載の計器装置は、透光性表示板に光を入射させる第２光源と、第１光源の消燈時に第２光源を点燈するように構成された制御手段とを備え、第２光源からの入射光を目視側へ反射させる反射層が透光性表示板に形成され、第１光源の消燈時であって第２光源の点燈時において第１表示意匠が目視されないように構成されていることを特徴とする。
【００１８】
この構成では、第２光源からの入射光を目視側へ反射させる反射層が透光性表示板に形成されるため、第２光源からの光によって透光性表示板が発光表示する。また、この構成では、第１光源の消燈時であって第２光源の点燈時において第１表示意匠が目視されないように構成され、第１光源の消燈時に第２光源が点燈する。このため、第１表示意匠が目視されない透光性表示板が、第２光源からの光によって発光表示する。このため、第１指針計器と第２指針計器とを加飾する機能を、透光性表示板が発揮できる。
【００１９】
即ち、上述の効果を得つつ、第１光源の消燈時において透光性表示板に加飾機能を発揮させることができる。
【００２０】
請求項３に記載の計器装置は、透光性表示板に光を入射させる第２光源と、第１光源の点燈時に第２光源を点燈するように構成された制御手段とを備え、第２光源からの入射光を目視側へ反射させる反射層が透光性表示板に形成され、第１表示意匠の透過照明光が、反射層からの反射光と識別可能なように構成され、透過照明光の色調が、反射光の色調と類似するように構成されていることを特徴とする。
【００２１】
この構成では、第２光源からの入射光を目視側へ反射させる反射層が透光性表示板に形成されるため、第２光源からの光によって透光性表示板が発光表示する。第１光源の点燈時に第２光源を点燈するため、第１光源からの光によって第１表示意匠が透過照明される透光性表示板が、第２光源からの光によって発光表示する。
【００２２】
また、第１表示意匠の透過照明光が、反射層からの反射光と識別可能なように構成されるため、第２光源からの光による透光性表示板の発光表示を背景として第１光源からの光による第１表示意匠を目視できる。また、第１表示意匠の透過照明光の色調（明度と色相と彩度の少なくともいずれか）が、反射層からの反射光の色調と類似するように構成される。このため、第１表示意匠と類似する色調で発光表示する透光性表示板によって第１表示意匠を強調して目視させることができる。即ち、上述の効果を得つつ、第１表示意匠を強調して目視させることができる。
【００２３】
請求項４に記載の計器装置は、透光性表示板に光を入射させる第２光源を備え、第２光源の点燈時において第２表示意匠が目視されるように構成され、第１光源の消燈時であって第２光源の点燈時において第１表示意匠が目視されないように構成されていることを特徴とする。
【００２４】
この構成では、第２光源の点燈時において第２表示意匠が目視されるように構成され、第１光源の消燈時であって第２光源の点燈時において第１表示意匠が目視されないように構成されている。これにより、第１光源の消燈時においては、第２光源の点燈・消燈にかかわらず、第１表示意匠は目視されない。即ち、第２光源の点燈・消燈にかかわらず、第１光源の点燈・消燈の操作によって第１表示意匠を目視させたり目視させないようにさせたりすることができる。
【００２５】
この結果、上述の効果を得つつ、第２表示意匠の表示と独立させて、第１表示意匠の表示の操作を行うことができる。
【００２６】
請求項５に記載の計器装置は、第２光源からの入射光を目視側へ反射させる反射層が透光性表示板に形成され、透光性表示板において反射層より目視側に第２表示意匠が形成されていることを特徴とする。
【００２７】
この構成では、第２光源からの入射光を目視側へ反射させる反射層が透光性表示板に形成され、透光性表示板において反射層より目視側に第２表示意匠が形成される。これにより、第２光源からの光によって第２表示意匠が透過照明されるため、第２光源からの光によって第２表示意匠が目視されるように簡易に構成できる。
【００２８】
請求項６に記載の計器装置は、透光性表示板の前面と背面の少なくとも一方に反射層が形成され、反射層より背後側に第１表示意匠が形成され、第１表示意匠を透過照明した第１光源からの光が反射層を透過して第１表示意匠として目視されるように構成され、第１光源の消燈時において反射層によって第１表示意匠が目視されないように構成されていることを特徴とする。
【００２９】
この構成では、透光性表示板の前面と背面の少なくとも一方に反射層が形成され、反射層より背後側に第１表示意匠が形成される。これにより、第２光源からの光によって第１表示意匠が透過照明されないように簡易に構成できる。また、第１光源の消燈時において反射層によって第１表示意匠が目視されないように構成される。従って、第１光源の消燈時であって第２光源の点燈時において第１表示意匠が目視されないように簡易に構成できる。
【００３０】
また、第１表示意匠を透過照明した第１光源からの光が反射層を透過して第１表示意匠として目視されるように構成される。これにより、第１光源からの光が第１表示意匠を透過照明して第１表示意匠として目視されることが、第１表示意匠の目視側に形成された反射層によって妨げられないように簡易に構成できる。従って、上述の効果を簡易な構成で得ることができる。
【００３１】
請求項７に記載の計器装置は、車両に搭載される計器装置であって、自車両に備わる機器の作動状態を報知するインジケータを表す記号と自車両の異常を警告するウォーニングを表す記号の少なくとも一つを第１表示意匠が備えることを特徴とする。
【００３２】
この構成では、インジケータを表す記号とウォーニングを表す記号の少なくとも一つを第１表示意匠が備えるため、スペースを有効に利用しつつ、指針計器の指針の目視側で自車両に関する多くの情報を表示することが可能な計器装置を提供できる。
【発明を実施するための最良の形態】
【００３３】
以下、自動車に搭載されるコンビネーションメータに本発明による計器装置を適用した場合を例に図面に基づいて説明する。
【００３４】
（構成）
図１において、本発明の一実施形態による計器装置であるコンビネーションメータ１は、当該自動車の運転席の前方で運転者が目視可能な位置に配設され、当該自動車に関する各種情報を表示する。コンビネーションメータ１は、第１指針計器である回転計２、第２指針計器である速度計３、燃料／水温計４と、液晶表示ユニット５、およびインジケータ／ウォーニング表示ユニット６とを備える。
【００３５】
図１と図２に示すように、回転計２は、第１文字盤２１と、第１文字盤２１の前面に沿って回動する第１指針２２と、第１指針２２を発光表示させる発光ダイオード２３ａと、第１文字盤２１を透過照明する発光ダイオード２３ｂと、第１指針２２を回動させるムーブメント２２ａとを備える。これにより、回転計２は、当該自動車のエンジン回転数を指示する。
【００３６】
速度計３は、第２文字盤３１と、第２文字盤３１の前面に沿って回動する第２指針３２と、第２指針３２を発光表示させる発光ダイオード３３ａと、第２文字盤３１を透過照明する発光ダイオード３３ｂと、発光ダイオード３３ｂからの光を第２文字盤３１へ導く導光体３４と、第２指針３２を回動させるムーブメント３２ａとを備える。これにより、速度計３は、当該自動車の走行速度を指示する。発光ダイオード２３ａ、２３ｂ、３３ａ、３３ｂとムーブメント２２ａ、３２ａは、プリント基板１１に実装され、発光ダイオード２３ａ、２３ｂ、３３ａ、３３ｂは、ケース１０によって指針２２，３２や文字盤２１，３１に導かれるように構成される。
【００３７】
燃料／水温計４は、第３文字盤４１と第３文字盤４１の前面に沿って回動する第３指針４２とを備え、当該自動車の燃料の残量とエンジンの冷却水温度とを指示する。液晶表示ユニット５は、当該自動車の累積走行距離を表示し、スペースの有効利用を図るために第２指針３２の回転中心側であって第２指針３２の目視側（図２において上側）に液晶表示ユニット５が配設される。尚、液晶表示ユニット５は、図示しない支持部によってケース１０に固定される。
【００３８】
図１と図２に示すように、インジケータ／ウォーニング表示ユニット６は、回転計２と速度計３の間と、速度計３と燃料／水温計４の間に配設され、第１表示意匠である記号７１が形成された透光性表示板である透光性リング７と、背後側（図２において下側）から記号７１を透過照明する第１光源である発光ダイオード８１と、発光ダイオード８１の発する光を記号７１へ導く導光手段である導光体９とを備える。透光性リング７は、図１において破線で示した部位がダッシュボードによって覆われるように配置される。
【００３９】
記号７１は、自車両に備わる機器の作動状態を報知するインジケータや自車両の異常を警告するウォーニングを表す記号である。例えば、フォグランプ点灯を指示するフォグランプインジケータ、シートベルト（図示せず）が装着されていないことを警告するシートベルウォーニング、およびＡＢＳ（アンチロックブレーキシステム）の異常を知らせるＡＢＳウォーニング等を表す記号である。
【００４０】
図３に示すように、各記号７１に対応させて発光ダイオード８１と導光体９が配設される。また、発光ダイオード８１に対応する記号７１と隣接する記号７１を、この発光ダイオード８１が透過照明しないように、各発光ダイオード８１と各導光体９との間を遮光する図示しない遮光部を設ける。記号７１に対応して配置された発光ダイオード８１を点燈させることによってその記号７１を透過照明して目視させ、これにより、この記号７１が表すインジケータやウォーニングの情報を知らせることができる。尚、図３において、図面を見易くするため、破線で示す導光体９の一部を省略している。
【００４１】
インジケータ／ウォーニング表示ユニット６は、透光性リング７に光を入射させる第２光源である発光ダイオード８２を備える。図４（ａ）において、発光ダイオード８２からの入射光を光路Ｐ１に従ってスモーク層７４を通して目視側（図４（ａ）において上側）へ反射させる反射層７３が、透光性リング７の透光性基板７０の背面７６に形成される。反射層７３より背後側（図４（ａ）において下側）に第１表示層７２が形成され、第１表示層７２の開口として記号７１が形成される。このため、発光ダイオード８２を点燈しても、記号７１は透過照明されない。
【００４２】
透光性基板７０は、例えば、無色透明なポリカーボネート樹脂等から形成される。反射層７３は、反射性と透光性の両方を有する例えば白色の印刷層として形成され、第１表示層７２は、遮光性の例えば黒色の印刷層として形成される。スモーク層７４は、透光性を有するスモーク調（スリガラス調）に調整された印刷層として形成される。図４（ｂ）において左右両側から光路Ｐ２に従って透光性リング７（透光性基板７０）に発光ダイオード８２からの光を入射させるように、左右両側に発光ダイオード８２が配置される。
【００４３】
反射層７３とスモーク層７４が透光性を有するため、図５に示す光路Ｐ３に従って、記号７１を透過照明した発光ダイオード８１からの光が反射層７３とスモーク層７４を透過して記号７１として目視される。また、発光ダイオード８１の消燈時において記号７１が目視されないように、反射層７３の透光性とスモーク層７４の透光性の両方を調整する。尚、発光ダイオード８１の消燈時において、反射層７３によって記号７１が目視されないように反射層７３の透光性を調整すれば、スモーク層７４を省略することも可能である。
【００４４】
ここで、透光性リング７において記号７１が形成されている部位が、第１指針２２の回転中心側であって第１指針２２の目視側（図５において上側）に配設される。これにより、回転計２の第１指針２２の目視側で記号７１を透過照明させて目視させることができる。即ち、回転計２に対し空中に浮かせて立体的に記号７１を目視させることができる。
【００４５】
また、導光体９は、発光ダイオード８１の発する光を背後側（図５において下側）から記号７１へ導く照明部９１と発光ダイオード８１の発する光を照明部９１へ導く導光部９２とから構成され、例えば、無色透明なアクリル樹脂等から形成される。ここで、第２文字盤３１の背後側に導光部９２が配設される。これにより、速度計３の第２文字盤３１により導光部９２の配置スペースが表示スペースとして有効に利用される。即ち、導光部９２の配置スペースは、回転計２に対してデッドスペースとなるが、この目視側に第２文字盤３１を配設することによって、コンビネーションメータ１において導光部９２の配置スペースの有効利用を可能としたものである。
【００４６】
これらの結果、スペースを有効に利用しつつ、回転計２の第１指針２２の目視側で記号７１を透過照明させて目視させることが可能なコンビネーションメータ１を提供できる。
【００４７】
尚、照明部９１は、矢印Ａの範囲に対応し、導光部９２は、矢印Ｂの範囲に対応し、透光性リング７において記号７１が形成されている部位は、矢印Ｃの範囲に対応する。
【００４８】
また、発光ダイオード８１を、例えば赤色光を発する光源とし、発光ダイオード８２を、例えば青色光を発する光源とする。
【００４９】
以上説明した本実施形態によるコンビネーションメータ１の電気回路構成について、図６に基づいて説明する。
【００５０】
マイクロコンピュータ等から構成される制御手段である制御装置１２には、バッテリ１６から電力が常時供給され、イグニッションスイッチ１５がその操作ポジション（オフポジション、オンポジション）を検出可能に接続される。また、当該自動車のエンジンの回転数を検出する回転センサ１３や当該自動車の走行速度を検出する車速センサ１４や図示しないセンサやスイッチ等がそれらの信号を入力可能に制御装置１２に接続される。
【００５１】
また、回転センサ１３や車速センサ１４からの検出信号に応じて制御装置１２によって駆動されるムーブメント２２ａ，３２ａや，発光ダイオード２３ａ，２３ｂ，３３ａ，３３ｂ，８１，８２も、制御装置１２に接続される。
【００５２】
尚、制御装置１２は、報知しようとするインジケータや警告しようとするウォーニングを表す記号７１に対応して配置された発光ダイオード８１を点燈する様に構成される。また、発光ダイオード８１の消燈時に発光ダイオード８２を点燈するように構成され、発光ダイオード８１の点燈時に発光ダイオード８２を消燈するように構成される。
【００５３】
（作動）
上述したように構成された、本発明の一実施形態によるコンビネーションメータ１の作動について、インジケータ／ウォーニング表示ユニット６の作動を中心に説明する。
【００５４】
イグニッションスイッチ１５がオンされると、図６において、制御装置１２は、それを検出して作動を開始する。即ち、回転センサ１３や速度センサ１４からの出力信号に基づき、指針２２，３２を回動させるように、ムーブメント２２ａ，３２ａを駆動する。また、制御装置１２は、発光ダイオード２３ａ，２３ｂ，３３ａ，３３ｂ、８２を点燈するが、発光ダイオード８１を消燈している。
【００５５】
以下、インジケータ／ウォーニング表示ユニット６の作動について説明する。
【００５６】
点燈した発光ダイオード８２の青色光は、図４（ａ）において光路Ｐ１に従って、透光性基板７０内に導かれ、白色の反射層７３によって青色光としてスモーク層７４を通して目視側に反射される。これにより、透光性リング７が、青色に発光表示する。
【００５７】
また、開口として記号７１が形成された第１表示層７２が反射層７３より背後側に形成されているため、発光ダイオード８２からの青色光は、記号７１を透過照明しない。また、発光ダイオード８１の消燈時においてスモーク層７４と反射層７３によって記号７１が目視されない。また、発光ダイオード８１の消燈時に発光ダイオード８２を点燈するように制御装置１２が構成されているため、図１において、発光ダイオード８１の消燈時に記号７１が目視されない透光性リング７が、発光ダイオード８２からの青色光によって発光表示する。これにより、回転計２と速度計３と燃料／水温計４とを加飾する機能を、透光性リング７が発揮できる。
【００５８】
一方、必要なインジケータやウォーニングを表す記号７１を透過照明するために発光ダイオード８１を点燈した場合、発光ダイオード８２は消燈する。点燈した発光ダイオード８１の赤色光は、図５において光路Ｐ３に従って記号７１を透過照明する。具体的に、発光ダイオード８１からの赤色光は、導光部９２を介して照明部９１内に導かれて記号７１を透過照明し、記号７１の透過照明光は、赤色光として反射層７３とスモーク層７４を通して目視側へ透過する。これにより、白色のスモーク層７４を背景として記号７１が赤色で発光表示する。
【００５９】
上述したように、回転計２に対し空中に浮かせて立体的に記号７１を赤色で発光表示させるため、記号７１を強調的に表示できると共に見映えの向上を図ることができる。また、回転計２に対し記号７１を重ねて表示させるため、表示スペースを有効に利用できる。
【００６０】
また、第２文字盤３１の背後側に導光部９２が配設されるため、速度計３の第２文字盤３１により導光部９２の配置スペースが表示スペースとして有効に利用される。即ち、導光部９２の配置スペースは、回転計２に対してデッドスペースとなるが、この目視側に第２文字盤３１を配設することによって、コンビネーションメータ１において導光部９２の配置スペースを有効に利用できる。
【００６１】
これらの結果、スペースを有効に利用しつつ、回転計２の第１指針２２の目視側で記号７１を透過照明させて目視させることが可能なコンビネーションメータ１を提供できる。
【００６２】
尚、図４（ａ）において、透光性基板７０の背面７６でなくて前面７５に微小な凹凸が形成されたシボ面として反射層７３を形成することも可能である。この場合、反射層７３の上面にスモーク層７４を形成することも可能であり、反射層７３の透光性を調整することによってスモーク層７４を省略することも可能である。
【００６３】
また、発光ダイオード８１の点燈時に発光ダイオード８２を点燈するように制御装置１２を構成し、発光ダイオード８１の消燈時に発光ダイオード８２を消燈するように制御装置１２を構成することも可能である。この場合、発光ダイオード８１からの光が記号７１を透過照明した光が、発光ダイオード８１からの光が反射層７３で反射した光と識別可能なように構成され、記号７１を透過照明した光の色調（明度と色相と彩度の少なくともいずれか）が、反射層７３で反射した光の色調と類似するように構成される。
【００６４】
例えば、図４（ａ）において光路Ｐ１の反射光を橙色とするように構成し、図５において光路Ｐ３の透過光を光路Ｐ１の反射光より明度が高い赤色とするように構成する。即ち、光路Ｐ３の透過光の色相が、光路Ｐ１の反射光の色相と類似するが異なり、且つ、光路Ｐ３の透過光の明度が光路Ｐ１の反射光の明度より高く設定されている。このため、発光ダイオード８２からの光による透光性リング７の発光表示を背景として発光ダイオード８１からの光による記号７１を目視できる。
【００６５】
また、光路Ｐ３の透過光の色相が、光路Ｐ１の反射光の色相と類似するため、記号７１と類似する色調で発光表示する透光性リング７によって記号７１を強調して目視させることができる。
【００６６】
（変形例）
本変形例では、図７に示すように、第２表示意匠であるギヤポジション７８と第１表示意匠であるギヤポジションインジケータ７７を透光性リング７に形成する。ギヤポジション７８は、ギヤポジションを表す文字であり、所定のギヤポジションにギヤチェンジされた際にギヤポジションインジケータ７７を発光表示させて、所定のギヤポジションにギヤチェンジされたことを知らせる。例えば、ドライブポジションへギヤチェンジされた際、ドライブポジションを示す文字「Ｄ」のギヤポジション７８に隣接するギヤポジションインジケータ７７を発光表示させる。
【００６７】
上述した記号７１の場合と同様に、ギヤポジションインジケータ７７に対応させて発光ダイオード８１と導光体９が配設される。また、発光ダイオード８１に対応するギヤポジションインジケータ７７と隣接するギヤポジションインジケータ７７を、この発光ダイオード８１が透過照明しないように、各発光ダイオード８１と各導光体９との間を遮光する図示しない遮光部を設ける。
【００６８】
ギヤポジションインジケータ７７に対応して配置された発光ダイオード８１を点燈させることによってそのギヤポジションインジケータ７７を透過照明して目視させ、これにより、このギヤポジションインジケータ７７と隣接するギヤポジション７８が表すギヤポジションへギヤチェンジされたことを知らせることができる。尚、図７において、図面を見易くするため、破線で示す導光体９の一部を省略している。
【００６９】
図８（ａ）において、反射層７３より目視側（図８（ａ）において上側）に第２表示層７９が形成され、第２表示層７９の開口としてギヤポジション７８が形成される。具体的に、透光性基板７０の前面７５に第２表示層７９が形成され、第２表示層７９の上面にスモーク層７４が形成される。これにより、発光ダイオード８２からの光は、光路Ｐ４に従ってギヤポジション７８を透過照明して目視させる。
【００７０】
一方、記号７１の場合と同様に、反射層７３より背後側（図８（ｂ）において下側）にギヤポジションインジケータ７７が形成される。具体的に、第１表示層７２の開口としてギヤポジションインジケータ７７が形成される。このため、発光ダイオード８２からの光は、光路Ｐ５に従って進行しギヤポジションインジケータ７７を透過照明しない。即ち、ギヤポジションインジケータ７７は、発光表示しない。
【００７１】
これに対して、図９に示すように、発光ダイオード８１を点燈すれば、発光ダイオード８１からの光は、光路Ｐ６に従ってギヤポジションインジケータ７７を透過照明して目視させる。これらの結果、発光ダイオード８２によるギヤポジション７８の透過照明と独立させて、発光ダイオード８１によるギヤポジションインジケータ７７の透過照明を行うことができる。即ち、ギヤポジション７８の表示と独立させて、ギヤポジションインジケータ７７の表示の操作を行うことができる。例えば、ギヤポジション７８を常時表示し、ギヤポジションインジケータ７７の表示の操作を個別行うことができる。
【００７２】
以上説明した本発明による計器装置であるコンビネーションメータ１は、第１文字盤２１と第１文字盤２１の前面に沿って回動する第１指針２２とを有する第１指針計器である回転計２と、第２文字盤３１と第２文字盤３１の前面に沿って回動する第２指針３２とを有する第２指針計器である速度計３と、第１表示意匠である記号７１が形成された透光性表示板である透光性リング７と、背後側から記号７１を透過照明する第１光源である発光ダイオード８１と、発光ダイオード８１の発する光を記号７１へ導く導光手段である導光体９とを備え、発光ダイオード８１の発する光を背後側から記号７１へ導く照明部９１と発光ダイオード８１の発する光を照明部９１へ導く導光部９２とから導光体９が構成され、透光性リング７において記号７１が形成されている部位が、第１指針２２の回転中心側であって第１指針２２の目視側に配設され、第２文字盤３１の背後側に導光部９２が配設されている。
【００７３】
これにより、スペースを有効に利用しつつ、指針計器の指針の目視側で表示意匠を透過照明させて目視させることが可能な計器装置を提供できる。
【００７４】
尚、本発明は、上述の例に限らず、これらの組み合わせや、他の種々の変形例が考えられる。
【図面の簡単な説明】
【００７５】
【図１】図１は、本発明の一実施形態による計器装置であるコンビネーションメータ１の正面図である。
【図２】図２は、図１中のＩＩ−ＩＩ断面図である。
【図３】図３は、図２に示すインジケータ／ウォーニング表示ユニット６の拡大正面図である。
【図４】図４（ａ）は、図３中のＩＶＡ−ＩＶＡ断面図であり、図４（ｂ）は、図３に示す透光性表示板である透光性リング７の発光表示を説明する模式図である。
【図５】図５は、図３中のＶ−Ｖ断面図である。
【図６】図６は、本発明の一実施形態によるコンビネーションメータ１の電気回路構成を説明する回路構成図である。
【図７】図７は、図３の変形例を示す拡大正面図である。
【図８】図８（ａ）は、図７中のＶＩＩＩＡ−ＶＩＩＩＡ断面図であり、図８（ｂ）は、図７中のＶＩＩＩＢ−ＶＩＩＩＢ断面図である。
【図９】図９は、図７中のＩＸ−ＩＸ断面図である。
【符号の説明】
【００７６】
１  コンビネーションメータ（計器装置）、２  回転計（第１指針計器）
２１  第１文字盤、２２  第１指針、２２ａ  ムーブメント
２３ａ、２３ｂ  発光ダイオード、３  速度計（第２指針計器）、３１  第２文字盤
３２  第２指針、３２ａ  ムーブメント、３３ａ、３３ｂ  発光ダイオード
３４  導光体、４  燃料／水温計、４１  第３文字盤、４２  第３指針
５  液晶表示ユニット、６  インジケータ／ウォーニング表示ユニット
７  透光性リング（透光性表示板）、７０  透光性基板、７１  記号（第１表示意匠）
７２  第１表示層、７３  反射層、７４  スモーク層、７５  前面、７６  背面
７７  ギヤポジションインジケータ（第１表示意匠）
７８  ギヤポジション（第２表示意匠）、７９  第２表示層
８１  発光ダイオード（第１光源）、８２  発光ダイオード（第２光源）
９  導光体（導光手段）、９１  照明部、９２  導光部、１０  ケース
１１  プリント基板、１２  制御装置（制御手段）、１３  回転センサ
１４  車速センサ、１５  イグニッションスイッチ、  １６  バッテリ
【図１】
2008089477.tif 000003
【図２】
2008089477.tif 000004
【図３】
2008089477.tif 000005
【図４】
2008089477.tif 000006
【図５】
2008089477.tif 000007
【図６】
2008089477.tif 000008
【図７】
2008089477.tif 000009
【図８】
2008089477.tif 000010
【図９】
2008089477.tif 000011